(57)【要約】      （修正有）【課題】  安全に使用でき、埃が付着することもなく、外観が美しい回転式揉動マッサージ器の改良構造を提供する。【解決手段】回転式揉動マッサージ器の改良構造は、マッサージ器本体が揉動素子１１を有する。揉動素子は、駆動モータ、及び、連動素子の作用により、マッサージ器本体と偏心式回転の動作を生成する。カバー素子２０は、軟質のキャップ２１で、揉動素子を、完全に内部に容置し、更に、固定環２２により、本体外縁に定位する。【選択図】図２
0003110093.tif 000002
【実用新案登録請求の範囲】
【請求項１】
回転式揉動マッサージ器構造であって、マッサージ器本体は、揉動素子を有し、前記揉動素子は、駆動モータ、及び、連動素子により作用し、前記マッサージ器本体と偏心式回転の動作を生成し、その特徴は、
前記マッサージ器本体の前記揉動素子に、カバー素子を結合し、前記カバー素子は、軟質のキャップと固定環からなり、前記揉動素子を、完全に内部に容置し、更に、前記固定環は、本体外縁に定位し、これにより、前記揉動素子は、前記カバー素子中で、偏心式回転を生じ、マッサージ効果を提供することを特徴とする回転式揉動マッサージ器構造。
【請求項２】
前記マッサージ器本体と前記揉動素子の結合箇所に、嵌合槽を設置し、固定環の内周縁に、嵌接縁を設置し、前記軟質のキャップは、下周縁により、前記固定環の外周縁から嵌め込み、更に、下周縁を、前記固定環の嵌接縁に折り入れ、前記カバー素子は、前記固定環により、前記本体に嵌接され、前記固定環の嵌接縁を、前記本体の嵌合槽に嵌結し、前記軟質キャップ２下が、緊切に定位することを特徴とする請求項１に記載の回転式揉動マッサージ器構造。
【考案の詳細な説明】
【技術分野】
【０００１】
本考案は、回転式揉動マッサージ器の構造に関するものであって、特に、偏心式回転揉動マッサージ器の構造で、揉動素子が高速回転する時、使用者に恐怖心を抱かせず、また、塵等の汚垢がつくのを防止すると共に、マッサージ本体と揉動素子が美しい整合性を有し、美的外観の増した改良構造に関するものである。
【背景技術】
【０００２】
近年の科学技術の進歩と生産技術の飛躍に伴い、人々は、ライフスタイルを重視するようになって来た。仕事や生活における様々なストレスは、心も体も疲れさせ、各種マッサージ器により、心身をリラックスさせることが日常的になっている。
【０００３】
公知の回転式揉動マッサージ器は、図５、図６で示されるように、マッサージ素子３１が、駆動モータを設置するマッサージ器本体３０により、高速偏心回転を生成して作動し、高速の回転により、ある使用者は、体との接触時に、恐怖感を覚えるかもしれない。
【０００４】
また、公知の回転式揉動マッサージ器のマッサージ素子３１は、マッサージ器本体３０と適当なギャップを有し、これにより、空間中に分布する埃や塵は、本体３０内部やマッサージ素子３１、連結素子、駆動モータ等に進入しやすく、使用寿命を縮減すると共に、細菌発生の温床ともなりかねず、使用者の健康を害する。
【考案の開示】
【考案が解決しようとする課題】
【０００５】
本考案は、使用時に、恐怖感を与えず、また、塵等の汚垢がつくのを防止し、マッサージ本体と揉動素子が美しい整合性を有する回転式揉動マッサージ器構造を提供することを目的とする。
【課題を解決するための手段】
【０００６】
本考案の回転式揉動マッサージ器構造は、マッサージ器本体が揉動素子を有する。揉動素子は、駆動モータ、及び、連動素子の作用により、マッサージ器本体と偏心式回転の動作を生成する。カバー素子は、軟質のキャップで、揉動素子を、完全に内部に容置し、更に、固定環により、本体外縁に定位する。これにより、揉動素子は、カバー素子中で、偏心式回転を生じ、揉動素子が高速で回転する時の空転を防止し、使用者に、揉動素子が高速回転することによる恐怖感を取り除き、マッサージ効果を提供する。カバー素子の作用は、塵等で汚れるのを防止するもので、また、本体と揉動素子に、整合性を持たせて、美しい外観になる。
【考案の効果】
【０００７】
安全に使用でき、埃が付着することもなく、外観が美しいマッサージ器具が提供される。
【考案を実施するための最良の形態】
【０００８】
図１、図２は、本考案の回転式揉動マッサージ器の改良構造を示す図で、マッサージ器本体１０は、揉動素子１１を有する。揉動素子１１は、駆動モータ、及び、連動素子により作用し、マッサージ器本体１０と偏心式回転の動作を生成する。その特徴は、主に、本体１０の揉動素子１１外に、カバー素子２０を結合していることである。
【０００９】
カバー素子２０は、軟質のキャップ２１、及び、固定環２２、からなり、軟質のキャップ２１は、揉動素子１１を、完全に内部に容置する。更に、固定環２２により、本体１０外縁に定位する。これにより、揉動素子１１は、カバー素子２０中で、キャップ２１により、偏心式回転を生じ、マッサージ効果を提供する。カバー素子２０の作用は、塵等で汚れるのを防止するもので、また、本体１０と揉動素子１１に、整合性を持たせて、美しい外観になる。
【００１０】
カバー素子２０と本体１０の結合は、図２で示されるように、固定環２２により、軟質キャップ２１を、本体１０の外縁に定位させ、本体１０と揉動素子１１の結合箇所に、嵌合槽１０１を設置し、固定環２２の内周縁に、嵌接縁２２１を設置する。
【００１１】
また、カバー素子２０と本体１０の結合は、図１と図３で示されるように、軟質のキャップ２１の下周縁により、固定環２２の外周縁から嵌め込み、更に、下周縁を、固定環２２の嵌接縁２２１に折り入れ、カバー素子２０は、固定環２２により、本体１０に嵌接され、固定環２２の嵌接縁２２１を、本体１０の嵌合槽１０１に嵌結し、軟質キャップ２１の下が、緊切に定位する。キャップ２１が破損した時、固定環２２を取り外し、新しいキャップ２１を設置すればよい。
【００１２】
図４は、本考案の使用状態を示す図である。カバー素子２０は、直接、揉動素子１１を、内部に容設すると共に、固定環２２により、軟質キャップ２１を、本体１０の外縁に定位させ、これにより、揉動素子１１が、本体１０により、高速偏心回転する時、揉動素子１１が、カバー素子２０により内部に容置しているので、使用者は、直接、揉動素子１１の作動状態を目にすることがなく、恐怖感も、心配も必要ない。また、カバー素子２０は、揉動素子１１全体を被覆するので、埃や塵が隙間や死角に進入することなく、清潔さを維持することが出来ると同時に、本体１０と揉動素子１１に、整合性を持たせて、美しい外観になっている。
【００１３】
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案明の保護範囲は、実用新案請求の範囲で指定した内容を基準とする。
【図面の簡単な説明】
【００１４】
【図１】本考案の立体組み立て図である。
【図２】本考案の立体分解図である。
【図３】本考案の局部断面図である。
【図４】本考案の使用動作を示した説明図である。
【図５】公知の立体外観図である。
【図６】公知の使用状態を示した参考図である。
【符号の説明】
【００１５】
３０…マッサージ器本体
３１…マッサージ素子
１０…マッサージ器本体
１１…揉動素子    
１０１…嵌合槽
２０…カバー素子
２１…軟質キャップ
２２…固定環
２２１…嵌接縁
【図１】
0003110093.tif 000003
【図２】
0003110093.tif 000004
【図３】
0003110093.tif 000005
【図４】
0003110093.tif 000006
【図５】
0003110093.tif 000007
【図６】
0003110093.tif 000008